(57)【要約】【課題】開封前は高い密封性と確実ないたずら防止性を有し、開栓時には容易に開栓でき、開封後は弱い密封性と係合性でワンタッチで開閉できるキャップ及びそれを適用する容器を得る。【解決手段】天壁２から垂下する環状係合壁部３の下部にスカート状の裾部４を形成してなり、環状係合壁部３が内周面に容器口部の係合顎部に係合する係合突起１０が形成されている係合壁７と、その外周面に形成されたＴＥバンド８との二重構造となっており、裾部４の内面には、容器の口部に設けられたカムに対応する突起２０が形成されている。【選択図】        図１
2004244093.tif 000002
【特許請求の範囲】
【請求項１】
天壁、該天壁から垂下する環状係合壁部、該環状係合壁部の下部に形成されたスカート状の裾部からなり、前記環状係合壁部が内周面に容器口部の係合顎部に係合する係合突起が形成されている係合壁と、その外周面に形成されたタンパーエビデントバンドとの二重構造となっていることを特徴とするいたずら防止性を持ったキャップ。
【請求項２】
前記裾部の内面には、容器口部に設けられたカムに対応する突起が形成されている請求項１に記載のキャップ。
【請求項３】
前記係合壁は、所定間隔で縦スリットが形成され、該縦スリットにより下方部が複数の係合壁片に分割され、該係合壁片の一方のグループの下方にはブリッジを介して前記タンパーエビデントバンドの下方端部が連接され、他方のグループの下端には前記裾部の上端が連接されている請求項１又は２に記載のキャップ。
【請求項４】
前記係合壁の係合突起は、下方端にブリッジを介してタンパーエビデントバンドが連接されているグループの係合壁片のみの内周面部に形成されている請求項１〜３何れかに記載のキャップ。
【請求項５】
前記係合壁の縦スリットは、前記タンパーエビデントバンドよりも上方に延びて形成されている請求項３又は４に記載のキャップ。
【請求項６】
前記環状係合壁部は、成形後の後加工によりブリッジのみを残して環状壁部を厚さ方向に２分するように軸方向に切断することにより、タンパーエビデントバンドと係合壁が形成されている請求項１〜４何れかに記載のキャップ。
【請求項７】
容器口部の外周面にキャップの係合突起が係合する係合顎部が形成され、且つその下方にネックリングが形成され、該ネックリングの上面にカム突起が形成されている容器本体と、請求項１〜６何れかに記載のキャップとの組合わせからなることを特徴とする容器。
【発明の詳細な説明】
【０００１】
【発明の属する技術分野】
本発明は、容器口部に打栓で装着でき、且つリシール性を有しリシール後の開栓がワンタッチで出来るいたずら防止性を有するキャップ及び該キャップと容器本体との組合せからなる容器に関する。
【０００２】
【従来の技術】
従来、いたずら防止性とリシール性を共に備えたキャップとしては、内周面にねじが形成されたスカート壁の下端に弱化線を介してタンパーエビデントバンド（以下、ＴＥバンドという）を設けたスクリューキャップが一般的であり、広く採用されている。このキャップは、多くの利点を有するものであるが、反面次のような問題点がある。
▲１▼開閉にキャップを１回転以上回す必要があり、ワンタッチ開閉性に欠ける。▲２▼キャップの回転でＴＥバンドが破断されることにより、不正開栓の有無が判別されるものであるが、開栓時にＴＥバンドを破断するのに所定以上のトルクを必要とし開栓し難い。一方、確実なＴＥ性を得るためには、ＴＥバンド破断前に密封性が損なわれることを防止する必要があるが、ＴＥバンドの破断と容器のシールブレークのタイミングを確実に確保するのが困難である。
▲３▼ＴＥバンドは、スカート壁の最下端（即ち、キャップの最下端）に設けられているため、キャップハンドリング中にＴＥバンドに直接衝撃や外部負荷が作用して、ブリッジが不用意に破断される場合がある。
▲４▼ネジキャップはリシール後も密封性が高いため、リシール後に内容物が腐敗した場合内圧が上昇し、開栓時に蓋の飛び抜け現象（いわゆるブローオフ）が発生することがある。
【０００３】
一方、打栓キャップでＴＥバンドを備えたものも種々提案されている（例えば、特許文献１〜３参照）が、これら従来のキャップは上記問題点を部分的に解決するものもあるが、上記問題点の殆どあるいは全てを解決できるようなキャップ及びその容器は今だ提案されてない。
【０００４】
【特許文献１】
特開平９−５８７１９号公報
【特許文献２】
特開平１１−２９２１１２号公報
【特許文献３】
特許第３３５７４６４号公報
【０００５】
【発明が解決しようとする課題】
本発明は、上記実情に鑑み創案されたものであって、従来のキャップが有する上記▲１▼〜▲４▼の問題点の全てあるいは殆どを解決できるいたずら防止性を有するキャップ及び該キャップを適用する容器を提供することを目的とする。
【０００６】
【課題を解決するための手段】
上記課題を解決する本発明のいたずら防止性を持ったキャップは、天壁、該天壁から垂下する環状係合壁部、該環状係合壁部の下部に形成されたスカート状の裾部からなり、前記環状係合壁部が内周面に容器口部の係合顎部に係合する係合突起が形成されている係合壁と、その外周面に形成されたタンパーエビデントバンドとの二重構造となっていることを特徴とするものである。
【０００７】
前記裾部の内面には、容器口部に設けられたカムに対応する突起が形成されている。また、前記環状係合壁部を構成する係合壁には、所定間隔で縦スリットが形成され、該縦スリットにより係合壁の下方部を複数の係合壁片に分割し、該係合壁片の一方のグループの下方にはブリッジを介して前記タンパーエビデントバンドの下方端部が連接され、他方のグループの下端には前記裾部の上端が連接されていることが望ましい。また、前記係合壁の係合突起は、下方端にブリッジを介してタンパーエビデントバンドが連接されているグループの係合壁片のみの内周面部に形成することによって、リシールするためのキャップの開閉がより容易となる。
【０００８】
前記係合壁の縦スリットは、前記タンパーエビデントバンドよりも上方に延びるように形成することによって、パストリゼーション時にシャワーによる容器口部の洗浄効果が期待できる。また、前記環状係合壁部は、成形後の後加工によりブリッジのみを残して環状壁部を厚さ方向に２分するように軸方向に切断することによりタンパーエビデントバンド部と係合壁部を形成することによって、正確・確実に形成することができる。
【０００９】
上記キャップが適用される本発明の容器は、容器口部の外周面にキャップの係合突起が係合する係合顎部が形成され、且つその下方にネックリングが形成され、該ネックリングの上面にカム突起が形成されていることを特徴とするものである。上記容器は、その材質を限定されるものではないが、例えばＰＥＴボトル等の合成樹脂製ボトルに適用することによって、上記問題点のない合成樹脂ボトルを得ることができ、直接容器口部から飲料するリシール性ボトル飲料に好適である。
【００１０】
【発明の実施の形態】
以下、本発明に係るキャップの実施形態を図面に基き詳細に説明する。
図１は、本発明の実施形態に係るキャップを容器口部に装着した状態の一部破断正面図であり、図２はそのＴＥバンドを除去した状態での正面図である、そして、図３〜図５は本実施形態に係るキャップを示し、図６〜７は該キャップが適用される容器の容器口部を示している。本実施形態のキャップ１は、容器にワンタッチで装着でき、開栓時には閉栓状態から約９０°以内の回転によって容器口部から外れるようにしたものであり、容器口部のネックリングにカムが形成された容器に適用する。
【００１１】
本実施形態のキャップ１は、天壁２、該天壁２から垂下する環状係合壁部３、該環状係合壁部３の下部に形成されたスカート状の裾部４からなる合成樹脂製キャップである。天壁２の内面には容器口部の内壁に圧接するインナーリング６が設けられている。環状係合壁部３は、二重壁構造に形成され、内側が容器口部と係合する係合壁７となり、外側がＴＥバンド８となっている。係合壁７とＴＥバンド８間は、切込み線５で環状に切断され、その下端部で破断可能なブリッジ９で連接されている。
【００１２】
環状嵌合壁部３は、キャップ成形時には、ＴＥバンドとなる部分が天壁外周面より外方に飛び出すような厚さに肉厚の一体環状壁として成形すると共に、その下端部にブリッジとなる突起を所定間隔ごとに形成して一体に成形され、成形後に上部よりリングカッターで下端にブリッジ９となる突起を残して垂直に切断して環状の切込み線５を形成することによって、係合壁７とＴＥバンド８の二重環状壁構造に形成している。
【００１３】
係合壁７の内周面には、容器口部外周面に形成された係合顎部に係合する係合突起１０が形成され、容器封緘時に打栓することにより、該係合突起１０が容器口部の係合顎部に係合し、取外し不能となる。そして、係合壁７には、開封及びリシール後キャップの着脱を容易にするため、及びリシール後の密封性を弱めるために、縦方向に所定間隔毎に少なくとも係合突起１０の位置から下方位置まで延びる縦方向スリット１１を設けてあり、蓋を取外す際に係合突起が外側に逃げて係合顎部から容易に外れるように工夫してある。特に、本実施形態では、図２に明示するように係合壁７が前記スリット１１で複数の係合壁片１２、１３に分割され、その下部がＴＥバンド８の下端とブリッジ９が連接されているグループの係合壁片１２の内面のみに係合突起１０が設けられている。したがって、開栓後のＴＥバンド８が除去された状態では、図２に示すようにそれらの係合壁片１２の下端は完全にフリーとなっているので、開栓後のキャップの着脱時に容易に外方に弾性変形し、係合突起１０の係脱が容易となる。そして、他方のグループの係合壁片１３は、後述するように下端が外方に屈曲して裾部４に連なっている。係合壁片１２と１３は、交互に配置されるように形成されている。
【００１４】
ＴＥバンド８には、開封時に該ＴＥバンドを破断して除去するために、図１及び図２に示すように、上端部が若干上方に突出している引裂き摘み部１５が形成されている。該引裂き摘み部１５の両側には縦方向の弱化線１６が形成され、引裂き摘み部１５を摘んでＴＥバンドから容易に切り取ることができる。なお、弱化線１６は必ずしも両側に設ける必要はなく、片側のみに設ければ、弱化線１６を破断後引裂き摘み部１５をそのまま引張ればブリッジ９を破断してＴＥバンド８全体を切り取ることができる。
【００１５】
裾部４は、環状係合壁部３よりも径大に形成され、環状係合壁部３の係合壁片１３の下端に連接して一体に形成されている。裾部４の内面には容器口部に形成されているカム３３（図６）と係合するカムフロワーとなる突起２０が所定間隔毎に設けられている。本実施形態では、９０°間隔で４個設けられており、キャップ１を９０°以内の回転によって、キャップを外すことができるように構成されている。突起２０は下端の周方向角部がアール状に形成され、キャップを回転させたとき容器口部に形成されたカムに乗り上げ易く形成している。また、突起２０は、本実施形態では、前記係合壁片１３のうちの１個おきにその下方を裾部まで延長してその下端に形成してあり、それにより係合壁片１３の延長部が裾部の補強リブ２１としても機能させている。
【００１６】
本発明のキャップが適用される容器本体３０は、図６及び図７に示すように口部３１の頂部付近にキャップの係合突起１０が係合する係合顎部３２が形成されている。係合顎部３２は、本実施形態では環状の溝部となっているが、必ずしもそれに限るものでなく、キャップの係合突起が係止できる段差部を有しておればよく、特にその形状は限定されない。また、口部３１の下方部にはネックリング３６が形成され、該ネックリングの上面にカム３３が形成されている。カム３３は、本実施形態では図７に示すように等間隔で２個設けられており、開栓方向に上り傾斜面３４を有し、その端部が略垂直面３５となっており、キャップに形成された突起の２０の側部が閉栓時に当るストッパーとなっている。しかしながら、カム３３はこの形状に限らず、開栓方向及び閉栓方向の両側に上り傾斜面を有する形状に形成してもよい。その場合は、キャップを左右どの方向に回転させても開栓することができる利点がある。
【００１７】
本実施形態のキャップ１及び容器本体３０は、以上のように構成され、内容物が充填された容器本体３０にキャップを装着するには、キャッパーにより打栓することによって、環状嵌合壁部が弾性により広がり係合壁に形成された係合突起１０が容器口部に形成された係合顎部３２の下方に入り込みキャップが係止される。その状態では、キャップのインナーリング６が容器口部内周面に圧接することによって密封が図られると共に、容器口部頂部とキャップ天壁内面、及び環状係合壁部と口部外周面との接触によっても密封が図られるので、高い密封性が確保できる。なお、キャップを容器口部に打栓する際、たとえ突起２０がカム３３の山に当ったとしても打栓力によって突起２０がカム山を自動的に滑り降りるので、打栓のときキャップの回転位置合わせは特に必要としない。但し、若干回転しながら打栓してもよい。また、本実施形態のキャップは、ＴＥバンドの弱化線を構成するブリッジ９が環状係合壁部３と裾部４との中間部に設けられているので、キャップの製造時から容器への装着までの取り扱い中及び打栓時に、ブリッジが他の部材に直接当って衝撃や負荷を受けることがないので、ブリッジが破損する恐れがなく、不良品の発生が少ないという効果もある。
【００１８】
キャップ１を容器口部に装着した状態では、環状係合壁部３は係合壁７の外周部にＴＥバンド３が嵌合した状態の２重構造となっているので、外側に広がり難くキャップを回そうとしても、係合突起１０が係合顎部３２から抜け出すことができず、回転が阻止され開栓することできない。したがって、このキャップは、ＴＥバンドを破断して、係合壁の外周部の拘束を解除しない限り開封できないので、ＴＥバンドが破断されているか否かを確認することによって、いたずらによる開封があったか否か判別でき、いたずら防止機能を有している。そして、ＴＥバンドを引き裂くまでは、環状係合壁部の２重構造により高い密封性を確保することができ、ＴＥバンドを除去しない限りキャップの密封性を破壊することができないので、スクリューキャップの場合のようなＴＥバンドの破断とシールブレークのタイミングが問題になることがなく、タンパーエビデンス性を確実に果たすことができる。
【００１９】
開栓に際しては、ＴＥバンド８の引裂き摘み部１５を引っ張って弱化線１６から引裂いて除去し、ＴＥバンドの破断端部を摘んで周方向に引っ張ることによって、ＴＥバンド８と係合壁７を連接しているブリッジ９が破断されて、全周にわたってＴＥバンド８を取り除くことが゛できる。ＴＥバンド８を除去することによって、キャップは図２に示す状態となる。この状態では、ＴＥバンド８による係合壁７の外周部の拘束はないので、係合壁７は外部へ拡がり易くなる。しかも、本実施形態では、係合壁７に所定間隔毎に縦方向スリット１１が形成され、該スリットで区画され且つ下端がＴＥバンドとの連接が破断されて自由端となっている係合壁片１２にのみ係合突起１０が形成されているので、係合壁片１２が容易に弾性変形して係合突起１０と係合顎部３２との係合が外れ、小さい開栓トルクで開栓できる。また、容器との係合力を増すために、補助的に係合壁片１３にも係合突起１０を形成してもよい。
【００２０】
図２に示す状態から、キャップ１を開栓方向に約４５°回転させると、その裾部４に形成された突起２０がカム３３の傾斜面３４に乗り上げてカム作用により、キャップに軸方向の上昇力が作用すると、前述のように係合突起１０が形成されている係合壁片１２が弾性変形して係合突起１０上辺部と係合顎部３２との係合が外れ、キャップ１を容器口部から取外すことができる。また、リシール時には、単にキャップ１を容器口部に合わせて押し下げることによって、比較的弱い力で簡単にリシールができ、ワンタッチ開閉性に優れている。そして、リシール後の閉鎖では、係合壁外周部の縦方向スリット１１により係合壁での係止力が弱く、リシール後の密封はインナーリングのみであるので、内圧上昇に対して密封力が弱い。したがって、リシール後に内容物が腐敗してもガスが外部に抜け容器内圧が上昇することがなく、スクリューキャップの場合に発生する恐れがあった内圧上昇による蓋の跳び抜け事故が発生する恐れがなく、安全である。
【００２１】
図８〜図１１は、本発明の他の実施形態のキャップ及び容器を示している。
本実施形態のキャップ及び容器の基本形態は、前記実施形態と同様であるので、同様な個所には前記実施形態と同様な符号を付し、相違点のみについて説明する。本実施形態のキャップ４０及び容器５０の前記実施形態と相違する主な点は、容器５０の口部５１に形成されたネックリング５２の形状が正方形状であり、キャップ４０の裾部４１の外形がそれに合わせて正方形となっていることである。図８において、キャップ４０は図１０に示す底面図における対角線に沿って切断したＡ−Ａ断面の状態で示しており、容器５０は正面の状態で示している。容器５０のネックリング５２に形成されるカム５３は、対向する角部の２ヶ所に形成されている。該カム５３は、図８に示すように、回転方向両側にカム傾斜面５４を有する山状に形成されている。このカム５３に対応するキャップ４０の凸起４２は、図１０に示すように裾部４１の各辺の中央部に設けられ、その下端面は略円弧状に形成され、キャップを左右いずれの側に回転してもカム５３と係合してキャップを開閉できるようになっている。また，本実施形態のキャップ４０では、ＴＥバンド８の弱化線１６は１箇所のみに設けてあり、図９に仮想線で示すように、引裂き摘み部１５を引っ張ることによって、弱化線１６及びブリッジ９を連続して破断してＴＥバンドを取り除くことができる。
【００２２】
本実施形態のキャップ及び容器は以上のように構成され，裾部４１および容器のネックリング５２が正方形であるため、リシール時にはキャップの裾部をネックリングに合せてキャップを嵌める必要がある以外は前記実施形態と同様な作用効果を奏する。
【００２３】
以上、本発明の実施形態については説明したが、本発明は上記実施形態に限らず、その技術的思想の範囲内で種々の設計変更が可能である。例えば、係合壁の縦方向スリットをＴＥバンドよりも上方に伸ばすことによって、パストライザーでの殺菌時にシャワーによる洗浄水が該縦方向スリットより浸入し、容器口部の洗浄効果が期待できる。また、本発明のキャップが適用される容器は、その材質や形状が限定されるものでなく、ＰＥＴボトル等のプラスチックボトル、硝子ボトル、金属製ボトル、あるいは紙製容器、さらにはスパウト付きパウチ等にも適用可能である。本発明の容器は、例えば、小型のＰＥＴボトル等直接容器口部から内容液を飲用する容器に適用することによって、上記▲１▼〜▲４▼の問題が発生しない簡易なリシールボトルを得ることができ好適である。
【００２４】
【発明の効果】
以上のように本発明によれば、開封前の状態では容器の口部に係合する環状係合壁部が二重壁構造となっているため、高い密封性を維持することができる。そして、その状態では、ＴＥバンドを破断して係合壁の外周部の拘束を解除しない限り開封できないので、いたずら防止機能性に優れている。また、スクリューキャップの場合のようなＴＥバンドの破断とシールブレークのタイミングが問題になることがなく、タンパーエビデンス性を確実に果たすことができる。さらに、ＴＥバンドの弱化線を構成するブリッジが環状係合壁部と裾部との中間部に設けられているので、キャップのハンドリング中にブリッジが衝撃や負荷を受け難くく、ブリッジが不用意に破損する恐れが少ない。
【００２５】
開栓に際してＴＥバンドを除去することによって、係合壁は外部へ拡がり易くなり、容易に開栓でき、開栓性に優れている。特に請求項３及び４の構成によれば、下端が自由端となっている係合壁片にのみ係合突起が形成されているので、係合壁片が容易に弾性変形して小さい開栓トルクで開栓できる。また、キャップは０．５回転以下の回転で開閉でき、リシール時には、単にキャップを容器口部に合わせて押し下げることによって、比較的弱い力で簡単にリシールができるので、ワンタッチ開閉性に優れている。そして、リシール後の閉鎖では、リシール後に内容物が腐敗してもガスが外部に抜け易いため、容器内圧が上昇することがなく、内圧上昇による蓋の跳び抜け事故が発生する恐れがなく安全である。また、請求項５の構成によれば、パストライザーでの殺菌時に容器口部の洗浄効果が期待できる。
【図面の簡単な説明】
【図１】本発明の実施形態に係るキャップを容器口部に装着した状態の一部破断正面図である。
【図２】そのＴＥバンドを除去した状態での正面図である。
【図３】本実施形態に係るキャップの一部破断正面図である。
【図４】その底面図である。
【図５】その平面図である。
【図６】本実施形態に係る容器の口部正面図である。
【図７】その平面図である。
【図８】本発明の他の実施形態に係るキャップと容器を示し、キャップは図１０に示す底面図における対角線に沿って切断したＡ−Ａ断面の状態で示しており、容器は正面の状態で示している。
【図９】図８に示すキャップを容器口部に装着した状態の一部破断正面図である。
【図１０】図８に示すキャップの底面図である。
【図１１】図８に示す容器の平面図である。
【符号の説明】
１、４０  キャップ                      ２  天壁
３  環状嵌合壁部                        ４  裾部
５  切込み線                            ６  インナーリング
７  係合壁                              ８  ＴＥバンド
９  ブリッジ                          １０  係合突起
１１  縦方向スリット                    １２、１３  係合壁片
１５  引裂き摘み部                      １６  弱化線
２０、４２  凸起                        ３０、５０  容器本体
３１、５１  口部                        ３２  係合顎部
３３、５３  カム                        ３６、５２  ネックリング
【図１】
2004244093.tif 000003
【図２】
2004244093.tif 000004
【図３】
2004244093.tif 000005
【図４】
2004244093.tif 000006
【図５】
2004244093.tif 000007
【図６】
2004244093.tif 000008
【図７】
2004244093.tif 000009
【図８】
2004244093.tif 000010
【図９】
2004244093.tif 000011
【図１０】
2004244093.tif 000012
【図１１】
2004244093.tif 000013